(57)【特許請求の範囲】
【請求項１】
一対の電極間に、画像を担持する光の照射と該電極間への電圧の印加とにより画像が記録される、コレステリック液晶分子からなり該コレステリック液晶分子の捩れ方向が互いに逆向きをなす液晶層をそれぞれ少なくとも１層ずつ含む複数の液晶層と該画像を担持する光の照射により導電性が変化する光導電層が積層されてなる電子記録媒体の、該一対の電極間に電圧を印加する電圧印加手段と、
所定の位置に配置された前記電子記録媒体の前記複数の液晶層を介して前記光導電層に、画像を担持する、切替自在な右回りの旋光もしくは左回りの旋光を照射する円偏光光照射手段と、
前記円偏光光照射手段から前記旋光を照射させ、前記電圧印加手段から該旋光の回転方向に対応した互いに異なる電圧を印加させる制御手段とを備え、前記電子記録媒体の前記複数の液晶層に、左右の目でそれぞれ見たときに３次元画像となるような第１の画像と第２の画像をそれぞれ書込む３次元画像記録装置であって、
前記制御手段は、前記電子記録媒体の、前記捩れ方向が右回りをなす液晶層に、前記円偏光光照射手段から、前記第１の画像を担持する左回りの旋光を照射させて、前記電圧印加手段から該左回りの旋光に対応した第１の電圧を印加させ、前記捩れ方向が左回りをなす液晶層に、前記円偏光光照射手段から、前記第２の画像を担持する右回りの旋光を照射させて、前記電圧印加段から該右回りの旋光に対応した第２の電圧を印加させるものであることを特徴とする３次元画像記録装置。
【発明の詳細な説明】
【０００１】
【発明の属する技術分野】
本発明は、互いに異なる画像を記録することができる電子記録媒体に、立体視できる画像を記録する３次元画像記録装置に関する。
【０００２】
【従来の技術】
従来、ポリマーフィルム等のフレキシブルな基板を用いた光学的表示パネルは、ガラス基板で構成されたものに比べて軽くて薄く、しかも曲げることが容易であるという利点がある。このため、携帯用途の電子ディスプレイ装置では、その特徴が生かされている。なかでも、コレステリック液晶を透明な樹脂に分散した自己保持型液晶と樹脂との複合体からなる電子記録媒体は、ＴＦＴ液晶などのアクティブな回路を用いず単純なマトリクス駆動だけで高精細表示が可能であり、しかも安定なメモリー性を有することから注目されている。さらに、コレステリック液晶を、高い反射コントラストが得られる光散乱モードで用い、高速表示と高解像度を両立させた受光型電子記録媒体は、フリッカがなく、その表示が見やすいことから目が疲れにくいという特質を有し、目に対するやさしさを求めるニーズと、無電源による情報表示と情報保存が可能であるという環境面に対するやさしさを求めるニーズに適合するものと思われる。
【０００３】
特に電子記録媒体は、表示物としての紙媒体に代わる代替物として、または電子ディスプレイに表示された情報を一旦紙媒体にコピーしてから閲覧するという行動パターンの代替手段として活用することにより、省資源、省廃棄物を実現する、繰り返し使用が可能な表示媒体として有力である。また、この電子記録媒体は、紙と同様に薄くて、軽くて携行することができるという特徴を有するが、表示は、紙と同様に平面的である。
【０００４】
一方、パソコンや、携帯電話・ＰＨＳを用いた情報端末、ＡＤＳＬなどの情報ネットワークの進展により、臨場感を表現できる媒体に対するニーズがあることから、紙媒体を用いて立体的に見える画像を印刷する技術の研究が盛んに行われており、電子記録媒体についても、記録された画像を立体的に見えるように表示したいというニーズが増加するものと予想される。
【０００５】
動画を立体視する方法としては、例えば液晶光シャッター方式があるが、眼鏡にシャッター機能を持たせたものは、その違和感から普及が充分行われているとは言い難い。一方、静止画を立体視する方法としては、左右の目で別々の画像を同時的に見ることにより擬似的な立体感を得る方法があり、２枚の写真などの画像を直接裸眼で立体的に見る方式として、平行法、交差法が知られている。
【０００６】
しかし、これらの方法では、一般的に観察者の訓練が必要である上、電子記録媒体が２枚必要になるので、手にもって立体視するのは困難である。また２枚の画像の大きさや配置間隔を自由に変えることは出来ないという制約があるので、電子記録媒体にこの方法を採用するのは困難である。
【０００７】
他方、１枚の写真などを立体的に見る方法として、１枚の写真などに右眼用画像と左眼用画像をそれぞれ異なる色（例えば赤と青）で重ね書きし、観察者が左右それぞれ異なる色（例えば赤と青）のフィルタ付き眼鏡をかけて、その画像を立体的に見ることができるようにしたアナグリフ法がある。この方式では、画像の大きさや配置間隔などの制限がない上、１枚で構成されるので電子記録媒体にも採用することができるが、２色のカラーフィルタを使用するため画像に付された色彩が損なわれるという欠点がある。
【０００８】
【発明が解決しようとする課題】
本発明は、上記事情に鑑み、互いに異なる画像を記録することができる電子記録媒体、その電子記録媒体に、立体視できる画像を記録する３次元画像記録装置、および電子記録媒体に互いに異なる画像を記録して、それらの画像を立体的に見えるように表示する３次元画像表示方法を提供することを目的とする。
【０００９】
【課題を解決するための手段】
上記の目的を達成する本発明の画像記録媒体は、一対の電極間に、画像を担持する光の照射と該電極間への電圧の印加とにより画像が記録されるコレステリック液晶分子からなる液晶層が複数積層されてなる電子記録媒体であって、該コレステリック液晶分子の捩れ方向が互いに逆向きをなす液晶層をそれぞれ少なくとも１層ずつ有するものであることを特徴とする。
【００１０】
ここで、上記捩れ方向が互いに逆向きをなす液晶層は、これら液晶層の相遷移電圧が互いに異なるものであることが好ましい。
【００１１】
また、上記捩れ方向が互いに逆向きをなす液晶層は、これら液晶層の静電容量が互いに異なるものであることも好ましい態様である。
【００１２】
上記の目的を達成する本発明の３次元画像記録装置は、一対の電極間に、画像を担持する光の照射と該電極間への電圧の印加とにより画像が記録される、コレステリック液晶分子からなり該コレステリック液晶分子の捩れ方向が互いに逆向きをなす液晶層をそれぞれ少なくとも１層ずつ含む複数の液晶層が積層されてなる電子記録媒体の、該一対の電極間に電圧を印加する電圧印加手段と、
所定の位置に配置された前記電子記録媒体に、画像を担持する、切替自在な右回りの旋光もしくは左回りの旋光を照射する円偏光光照射手段と、
上記円偏光光照射手段から上記旋光を照射させ、上記電圧印加手段から該旋光の回転方向に対応した互いに異なる電圧を印加させる制御手段とを備えたことを特徴とする。
【００１３】
ここで、上記制御手段は、上記電子記録媒体の、上記捩れ方向が右回りをなす液晶層に、上記円偏光光照射手段から左回りの旋光を照射させて、上記電圧印加手段から該左回りの旋光に対応した第１の電圧を印加させ、上記捩れ方向が左回りをなす液晶層に、上記円偏光光照射手段から右回りの旋光を照射させて、上記電圧印加手段から該右回りの旋光に対応した第２の電圧を印加させるものであることも好ましい態様である。
【００１４】
上記の目的を達成する本発明の３次元画像表示方法は、一対の電極間に、画像を担持する光の照射と該電極間への電圧の印加とにより画像が記録される、コレステリック液晶分子からなり該コレステリック液晶分子の捩れ方向が互いに逆向きをなす液晶層をそれぞれ少なくとも１層ずつ含む複数の液晶層が積層されてなる電子記録媒体の、上記捩れ方向が右回りをなす液晶層に、右回りの旋光を選択反射する画像を記録するとともに、上記捩れ方向が左回りをなす液晶層に、左回りの旋光を選択反射する画像を記録することにより、互いに逆向きをなす旋光を透過する円偏光眼鏡を介在させたときに立体視される画像を表示することを特徴とする。
【００１５】
【発明の実施の形態】
以下に、本発明の電子記録媒体および３次元画像表示方法の第１の実施形態について説明する。
【００１６】
図１は、第１の実施形態の電子記録媒体の一例、およびその電子記録媒体に記録された画像が立体的に見えるように表示する３次元画像表示方法を示す図である。
【００１７】
図１に示す電子記録媒体は、透明な基板１ａ上に形成された透明な電極２ａと、透明な基板１ｂ上に形成された透明な電極２ｂと、電極２ａ，２ｂ間に積層された、コレステリック液晶からなる液晶層３ａおよび液晶層３ｂ、光が照射されると抵抗値が変化する光導電層４、並びに可視光を吸収し液晶層に記録された画像のコントラストを高める遮光層５により構成されている。
【００１８】
電極２ａと電極２ｂとの間に所定の電圧が印加されると、液晶層３ａと液晶層３ｂにはそれぞれの静電容量に応じた電圧が分圧され、光導電層４に照射される光の強度分布に応じて分圧が変動して、液晶層３ａ又は液晶層３ｂに相遷移による画像が記録される。そして、電極間に印加する電圧を選別し、異なる電圧を複数回印加することにより、液晶層３ａおよび液晶層３ｂにそれぞれ別個の画像を記録することができる。また、液晶層３ａのコレステリック液晶分子の捩れ方向Ａと、液晶層３ｂのコレステリック液晶分子の捩れ方向Ｂとは相互に逆向きをなすように構成されているので、液晶層３ａに記録された画像で選択反射する旋光と液晶層３ｂに記録された画像で選択反射する旋光とは、旋回方向が互いに逆向きになっている。
【００１９】
ここで、遮光層５は、必ずしも電極２ａと光導電層４との間に設ける必要はなく、光導電層４と液晶層３ａとの間に設けても、電極２ｂと液晶層３ｂとの間に設けてもよく、あるいは省いてもよい。
【００２０】
電極２ａ，２ｂとしては、ＮＥＳＡ膜や酸化インジウム又は酸化インジウムと酸化錫との混合物からなるｌＴＯ（ｉｎｄｉｕｍｔｉｎｏｘｉｄｅ）など導電性及び透明性の材料が用いられる。
【００２１】
基板１ａ，１ｂとしては、プラスチックフィルムなど可視光線に対して透明な材料が用いられる。
【００２２】
液晶層３ａ，３ｂとしては、コレステリック液晶分子が用いられている。そして、液晶層３ａと液晶層３ｂには、それぞれ異なるカイルラル剤が添加されているので、液晶層３ａと液晶層３ｂにおける液晶分子の捩れ方向は、添加されたカイルラル剤に応じて、それぞれ右回りと左回りに配向している。
【００２３】
光導電層４としては、電荷移動錯体型、共晶錯体型、積層型のいずれの形式を用いてもよく、電荷発生材料と電荷輸送材料を層状に分離して形成させたものなどを用いることができるが、これらに限定されるものではなく、機能的に特定の光の照射によって誘電率や導電率が大きく変化するものであればよい。
【００２４】
遮光層５としては、ブラックポリイミドなどが用いられ、例えばブラックポリイミドを用いて形成したものは可視光がほとんど透過しないので、電極２ａと光導電層４との間に形成する。
【００２５】
ここで、図２は、縦軸に吸光度を、横軸に波長（ｎｍ）をあらわした、ＣＦＲ６３３ＤＨＰ／ＰＣ−ＢＫ−００６Ｐの吸光度を示すグラフである。
【００２６】
図２に示すグラフから明らかなように、波長が６００ｎｍ以下の光は吸光しほとんど透過しないが、波長が７００ｎｍ以上の光は比較的よく透過する。したがって、このような特性を有する材料を用いて遮光膜を形成する場合には、液晶層３ｂと電極２ｂとの間に形成することができる。
【００２７】
図３は、光導電層を構成する感光体であるＨフタロシアニン、クロロカリウムフタロシアニンの光吸収率特性を示すグラフであり、縦軸に吸収率を、横軸に波長（ｎｍ）をあらわす。
【００２８】
図３から明らかなように、波長が５００ｎｍ付近では光をほとんど吸収しないが、波長が６００ｎｍ以上になると光をよく吸収する。
【００２９】
図２と図３からわかるように、液晶層３ｂと電極２ｂとの間に遮光層５を積層した電子記録媒体であっても、波長が７００ｎｍ以上の書込光を用いれば、その書込光は遮光層５を透過して光導電層４に吸収されるので画像を書き込むことができる。
【００３０】
ここで、液晶層３ａ，３ｂは、透明な基板１ａと光導電体層４との間にシリカ、ガラス、またはプラスチックからなるスペーサを散布し、液晶層の厚みを数μｍ〜数十μｍに制御するのが一般的である。ただし、散布量が多くなると電子表示媒体のコントラスト比が低下するおそれがある。
【００３１】
図４は、第１の実施形態の電子記録媒体の他の例を示す図である。
【００３２】
図４に示す電子記録媒体は、液晶層３ａ，３ｂが、コレステリック液晶分子と透明樹脂からなる自己保持型液晶−樹脂複合体６で形成されている。
【００３３】
この自己保持型液晶−樹脂複合体６は、コレステリック液晶の連続相中に網目状の樹脂を含むＰＮＬＣ（Ｐｏｌｙｍｅｒ  Ｎｅｔｗｏｒｋ  Ｌｉｑｕｉｄ  Ｄｒｙｓｔａｌ）構造や、高分子の骨格中にコレステリック液晶をドロッフレット状に分散させたＰＤＬＣ（Ｐｏｌｙｍｅｒ  Ｄｉｓｐｒｅｄ  Ｌｉｑｕｉｄ  Ｃｒｙｓｔａｌ）構造を用いて形成することが出来る。ＰＮＬＣ構造やＰＤＬＣ構造は、高分子と液晶を相分離させる方法、例えばアクリル系、チオール系、エポキシ系などの、熱や光、電子線などによって重合する高分子前駆体と液晶を混合し、均一相の状態から重合させて相分離させるＰ１ＰＳ（Ｐｏｌｙｍｅｒｉｚａｔｉｏｎ  Ｉｎｄｕｃｅｄ  Ｐｈａｓｅ  Ｓｅｐａｒａｔｉｏ）法、ポリビニルアルコールなどの液晶溶解度が低い高分子と液晶を混合し、撹絆懸濁させて液晶を高分子中にドロッフレット分散させるエマルジョン法、熱可塑性高分子と液晶を混合し、均一相に加熱した状態から冷却して相分離させるＴＩＰＳ（Ｔｈｅｒｍａｌｌｙ  Ｉｎｄｕｃｅｄ  Ｐｈａｓｅ  Ｓｅｐａｒａｔｉｏｎ）法、高分子と液晶をクロロホルムなどの溶媒に溶かし、溶媒を蒸発させて高分子と液晶を相分離させるＳＩＰＳ（Ｓｏｌｖｅｎｔ  Ｉｎｄｕｃｅｄ  Ｐｈａｓｅ  Ｓｅｐａｒａｔｉｏｎ）法などを用いて形成することが出来るが、これらに限定されるものではない。
【００３４】
ここで、上述した何れの電子記録媒体においても、液晶層３ａ，３ｂを構成するコレステリック液晶としては、ネマチック液晶またはこれらの混合物にカイラル剤を添加した材料が用いられ、このカイラル剤の種類によってコレステリック液晶分子の螺旋構造の捩れ方向が決まり、各液晶層に入射した光のうち、コレステリック液晶分子の螺旋構造の捩れ方向と同じ方向の旋光は選択反射し、螺旋構造の捩れ方向とは逆向きの旋光は透過する。したがって、コレステリック液晶分子の螺旋構造の捩れ方向が液晶層３ａと液晶層３ｂとでは逆向きになるように構成されていれば、液晶層３ａに記録された画像と、液晶層３ｂに記録された画像とでは、選択反射された旋光の向きが逆方向になる。したがって、画像を担持する右回りの旋光とその画像とは異なる画像を担持する左回りの旋光とをそれぞれ用意し、液晶層３ａと液晶層３ｂに、それぞれのコレステリック液晶分子の螺旋構造の捩れ方向とは逆向きの旋光を照射して画像を記録すれば、それぞれの液晶層にそれぞれ独立の画像を記録することができる。
【００３５】
次に、第１の実施形態の３次元画像表示方法について説明する。
３次元画像表示方法は、図１および図４に示す電子記録媒体に、右眼用画像と左眼用画像双方を記録し、その記録された双方の画像を、透過する旋光が左右逆向の円偏光眼鏡７を掛けて見るとその画像が立体的に見えるように表示する方法である。
【００３６】
具体的には、１枚の電子記録媒体に、例えば右眼用原画像８を担持する、右回りの旋光を照射しながら、液晶層３ａの分圧が第１の閾値電圧（フォーカルコニック相からプレーナ相に遷移する電圧）となるように電極間２ａ，２ｂに電圧を印加して液晶層３ａに右眼用画像を記録し、次に、左眼用原画像を担持する、左回りの旋光を照射しながら、液晶層３ｂの分圧が第２の閾値電圧（フォーカルコニック相からプレーナ相に遷移する電圧）となり、液晶層３ａに記録された画像はそのままの状態が維持できるような電圧を電極間２ａ，２ｂに印加して液晶層３ｂに左眼用画像を記録する。
【００３７】
右眼用原画像と左眼用原画像は、同じ被写体を、例えば位置をずらして撮影したものであり、電子記録媒体に記録された右眼用画像と左眼用画像（ともにプレーナ相を呈する。）は、それら原画像の相似画像であって、しかも選択反射する旋光の旋回方向Ａ，Ｂは互いに異なるので、透過する旋光が左右逆向きになっている円偏光眼鏡７を掛けると、記録されたそれら画像が立体的に見える。
【００３８】
図５は、第１の実施形態の電子記録媒体の等価回路を示す図である。
【００３９】
図５に示すように電子記録媒体の液晶層３ａは、静電容量Ｃａと抵抗Ｒａとの並列回路、液晶層３ｂは、静電容量Ｃｂと抵抗Ｒｂとの並列回路、光導電層４は、静電容量Ｃｓと抵抗Ｒｓとの並列回路とそれぞれ等価であり、電子記録媒体はそれらの並列回路が直列に接続されたものとして扱うことができる。
【００４０】
光書き込みの原理は、空間光変調素子と同様の原理であり、画素毎に調整された光が照射された状態で、電子記録媒体全体にパルス電圧が印加されると、光が照射された画素の光導電体の抵抗値は、光の強度分布に応じて変化するので、液晶層各層に印加されている分圧が変化し、画素毎に各液晶層の表示／非表示状態が切り替わることを利用したものである。
【００４１】
ここで、Ｃａは液晶層３ａの静電容量、Ｃｂは液晶層３ｂの静電容量、Ｃｓは有機光導電体層４の静電容量、Ｒａは液晶層３ａの抵抗値、Ｒｂは液晶層３ｂの抵抗値、Ｒｓは有機光導電体層４の抵抗値とし、電子記録媒体の電極２ａと電極２ｂとの間に電圧印加手段から印加される電圧をＶとする。
【００４２】
一般に、液晶層３ａの抵抗値Ｒａと液晶層３ｂの抵抗値Ｒｂ、有機光導電体層４の抵抗値Ｒｓは十分大きいため、液晶層３ａ，３ｂに印加される電圧Ｖａ，Ｖｂは
Ｖａ＝（ＣｂＣｓ／Ｃ）×Ｖ    …（１）
Ｖｂ＝（ＣａＣｓ／Ｃ）×Ｖ    …（２）
で与えられる。
【００４３】
ここで
Ｃ＝ＣａＣｂ＋ＣａＣｓ＋ＣｂＣｓ    …（３）
である。
【００４４】
光導電層４として電荷移動錯体型または共晶錯体型の有機感光体を用いる場合には、単純に塗布膜厚を制御することによって、また積層型の有機感光体を用いる場合には、より単純に電荷輸送層の膜厚を制御することによって、相遷移電圧に関する十分な閾値電圧差が得られる。
【００４５】
また、液晶層３ａ，３ｂの誘電率、層の厚さを適当に選ぶことにより、電極間に電圧Ｖを印加したときに液晶層３ａと液晶層３ｂそれぞれに分圧される電圧Ｖａと電圧Ｖｂとを変化させることができる。
【００４６】
図６は、第１の実施形態の一例として示す電子記録媒体の液晶層のスイッチング挙動を示す。
【００４７】
図６において、縦軸は液晶層の光の反射率、横軸は液晶層に分圧される電圧を示し、図中の特性曲線は、液晶層３ａ、液晶層３ｂそれぞれの分圧−反射率特性曲線を示している。
【００４８】
本例の電子記録媒体の液晶層に光が照射されているときに、高反射率のプレーナ相から低反射率のフォーカルコニック相へ遷移する閾値電圧Ｖ１は、液晶層３ｂについてはＶａからＶｂの範囲（Ｖ１ｂ）、液晶層３ａについてはＶｃからＶｄの範囲（Ｖ１ａ）であり、フォーカルコニック相からプレーナ相へ変化する閾値電圧Ｖ２は、液晶層３ｂについてはＶｅからＶｆの範囲（Ｖ２ｂ）、液晶層３ａについてはＶｇからＶｈの範囲（Ｖ２ａ）であり、液晶層相互の相遷移電圧が互いに異なっている。
【００４９】
また、光が照射されていないときであっても、液晶層３ｂにＶｆ以上、液晶層３ａにＶｈ以上の分圧が印加されると、高反射率のホメオトロピック相へ遷移する。さらに、液晶層３ｂにＶａ以下、液晶層３ａにＶｃ以下の分圧が印加されると、それまでの相はそのままの状態で維持される。
【００５０】
なお、図示していないが、液晶層３ａ、液晶層３ｂそれぞれに光が照射されると、液晶層３ａ、液晶層３ｂの光が照射された部分は、それぞれの分圧−反射率特性曲線が図の左方にシフトする。
【００５１】
スイッチング挙動は、液晶層を構成するコレステリック液晶の誘電率異方性、弾性率、螺旋ピッチ、高分子の骨格構造や側鎖、相分離プロセス、高分子と液晶界面のモルフォロジ、それらの総合によって決まる高分子と液晶界面のアンカリング効果の程度などによって変化するので、それらを調整することによりスイッチング挙動を制御することができる。具体的には、ネマチック液晶の種類や組成比、カイラル剤の種類、樹脂の種類、高分子樹脂の出発物質であるモノマ、オリゴマ開始剤、架橋剤などの種類や組成比、重合温度、光重合のための露光光源、露光強度、露光時間、雰囲気温度、電子線重合のための電子線強度、暴露時間、雰囲気温度、塗布時の溶媒の種類や組成比、溶液濃度、ウエット膜厚、乾燥温度、温度降下時の開始温度、温度降下速度などを調整することにより制御するが、これらに限定されない。
【００５２】
本例の電子記録媒体に、先ず、第１の原画像を担持する、第１の方向に旋回する旋光を照射しながら、液晶層３ａに閾値電圧Ｖ２ａが分圧される電圧を印加して第１の画像（光が照射された部分が高反射率を呈する）を書き込むとともに、液晶層３ｂ全体をプレーナ相にし、次に、第３の原画像（第１の原画像とは陰陽が反転された第２の原画像であって、撮影位置をずらして撮影されたもの。以下、同じ。）を担持する、第１の方向とは逆向きの第２の方向に旋回する旋光を照射しながら、液晶層３ｂに閾値電圧Ｖ１ａが分圧される電圧を印加して第２の画像（第１の画像と陰陽が同じであるが、撮影位置が異なる画像。以下同じ。）を書き込むとともに、液晶層３ａに書き込まれた第１の画像はそのままの状態に維持することにより、円偏光眼鏡を掛ければ立体的に見える第１の画像（例えば右眼用画像）と第２の画像（例えば左眼用画像）とを、１枚の電子記録媒体に記録することができる。
【００５３】
ここで、本例の電子記録媒体は、Ｖ１ｂ＞Ｖ１ａ、Ｖ２ｂ＞Ｖ２ａなる関係を有するが、さらにＶ１ｂ＞Ｖ２ａなる関係をも有する電子記録媒体を用いれば、第３の原画像を用いることなく、第２の原画像（第１の原画像とは撮影位置をずらして撮影したもの。以下、同じ。）を用いて第２の画像を書き込むことができる。
【００５４】
先ず、第２の画像を担持する、第２の方向に旋回する旋光を照射しながら、液晶層３ｂに電圧Ｖ２ｂが分圧されるように、電子記録媒体に電圧を印加して第２の画像を書き込むとともに、液晶層３ａ全体をプレーナ相にする。次に、第１の画像を担持する、第１の方向に旋回する旋光を照射しながら、液晶層３ａに電圧Ｖ２ａが印加されるように、電子記録媒体に電圧を印加して第１の画像を書き込むともに、第２の画像をそのままの状態に維持することにより、立体視が可能な右眼用画像と左眼用画像とをそれぞれの液晶層に記録することができる。
【００５５】
また、Ｖ１ｂ＞Ｖ１ａ、Ｖ２ｂ＞Ｖ２ａなる関係を有するとともに、電子記録媒体に電圧が印加されたときの液晶層３ａの分圧が、液晶層３ｂの分圧より大きく、分圧の差がＶ１ｂとＶ２ａとの差より大きい場合も、第１と第２の原画像を用いて立体視が可能な右眼用画像と左眼用画像とをそれぞれの液晶層に記録することができる。
【００５６】
さらに、Ｖ１ｂ＝Ｖ１ａ、Ｖ２ｂ＝Ｖ２ａで、各液晶層それぞれの分圧−反射率特性曲線が同じ場合であって、電子記録媒体に電圧が印加されたときの液晶層３ａと液晶層３ｂの分圧が相異し、分圧の差がＶ１ａとＶ２ａとの差もしくはＶ１ｂとＶ２ｂとの差よりも大きい場合も、第１と第２の原画像を用いて立体視が可能な右眼用画像と左眼用画像とをそれぞれの液晶層に記録することができる。
【００５７】
図７および図８は、電子記録媒体に電圧が印加されたときの液晶層の分圧、並びに光が照射された液晶部分および光が照射されない液晶部分それぞれの反射率を示す図であり、図７は、液晶層３ａの状態を、図８は、液晶層３ｂの状態を示している。
【００５８】
図７および図８において、最上段（Ａ）は、液晶層に分圧される電圧を、中上段（Ｂ）は、液晶層に照射される光強度を、中下段（Ｃ）は、光が照射された液晶部分の反射率を、最下段（Ｄ）は、光が照射されない液晶部分の反射率をそれぞれあらわしている。
【００５９】
図７において、第１のステップとして、液晶層３ａに閾値電圧Ｖ２ａが分圧される交流パルス電圧をＴ１時間印加しながら（Ａ）、光導電体層に光が照射されると（Ｂ）、光が照射された部分に対応する液晶層３ａの分圧が増加するので、その部分の液晶層３ａのコレステリック液晶はプレーナ相になる（Ｃ）。プレーナ相はメモリ性があるので、光の照射が終わっても（Ｂ）、プレーナ相は維持され、高い反射率が保持される（Ｃ）。一方、光が照射されなかった部分に対応する液晶層３ａは、フォーカルコニック相に保持される（Ｄ）。
【００６０】
次に、第２のステップにおいて、液晶層３ｂに閾値電圧Ｖ１ｂが分圧される交流パルス電圧が印加されるので、液晶層３ａにＶｃ以下の分圧がＴ２時間印加されるが、光の照射の有無に拘わらず、第１のステップにおける相状態が維持される（Ｃ）、（Ｄ）。
【００６１】
複数の液晶層を有する電子記録媒体のそれぞれの層に、右眼用画像と左眼用画像とをそれぞれ記録するためには、それぞれ第１のステップと第２のステップとで異なる電圧を供給する必要があるので、少なくとも２水準の電圧が供給できる電源が必要である。
【００６２】
図８において、第１のステップとして、液晶層３ａに閾値電圧Ｖ２ａが分圧される交流パルス電圧がＴ１時間印加されると、液晶層３ｂにはＶｆ以上の電圧が分圧されるので、液晶層３ｂのコレステリック液晶全体が、光の照射の有無に拘わらずプレーナ相を呈し光を選択反射する（Ｃ）、（Ｄ）。その後、交流パルス電圧の印加を停止しても、プレーナ相はメモリ性があるので、液晶層全体が高い反射率を保持する（Ｃ）、（Ｄ）。
【００６３】
次に、第２のステップとして、液晶層３ｂの分圧がＶ１ｂとなる交流パルス電圧がＴ２時間印加されるが（Ａ）、光導電層に光が照射されるまでは、液晶層３ｂ全体がプレーナ相を保持し選択反射を示す（Ｃ）、（Ｄ）。その後、光導電層４に光が照射されると（Ｂ）、光が照射された部分に対応する液晶層３ｂの分圧が増加するので、その部分の液晶層３ｂはプレーナ相からフォーカルコニック相に遷移する（Ｃ）。フォーカルコニック相はメモリ性があるので、光の照射が終わっても（Ｂ）、フォーカルコニック相は維持され、低い反射率が保持される（Ｃ）。一方、光が照射されなかった部分に対応する液晶層３ｂは、第１のステップにおいて形成されたプレーナ相がそのまま保持され、選択反射を示し続ける（Ｄ）。
【００６４】
次に、本発明の３次元画像記録装置の実施形態である、第２の実施形態について説明する。
【００６５】
図９は、第２の実施形態の３次元画像記録装置の構成を示す概略図である。
【００６６】
図９に示す３次元画像記録装置は、電圧印加部２１と、円偏光光照射手段２２と、制御手段２３とにより構成され、制御手段２３は、オペレータが指示を行うツールとしてのパーソナルコンピュ−タ（ＰＣ）に接続されている。なお、ここでは、制御手段２３にＰＣが接続されているが、必ずしもＰＣを用いる必要はなく、制御手段２３に操作子を設けてもよい。
【００６７】
ここで、画像を書き込む電子記録媒体としては、第１の実施形態で説明した電子記録媒体が用いられる。
【００６８】
電圧印加部２１は、電子記録媒体２５の一対の電極に接続される媒体接続部２１ａと、一対の電極間に印加する所定電位のパルス電圧を生成する駆動パルス生成部２１ｂとにより構成され、電子記録媒体２５には、少なくとも２種類の電圧が印加できるようになっている。また、円偏光光照射手段２２は、画像信号２２ｃを画像処理して輝度信号に変換し、その輝度に応じた右眼用原画像と左眼用原画像をそれぞれ生成するパターン生成部２２ａと、それら右眼用原画像と左眼用原画像に、円偏光フィルタを経由して所定の方向にのみ旋回する所定強度の旋光を照射する円偏向光照射部２２ｂとを有し、電子記録媒体２５には、生成された右眼用原画像を担持する旋光と、左眼用原画像を担持する旋光とがそれぞれ照射される。
【００６９】
制御手段２３は、制御部２３ａと駆動信号切替え部２３ｃとの間の信号の送受を行う駆動信号通信部２３ｂと、パルス電圧を印加するタイミングを計って駆動パルス生成部２１ｂを駆動させる駆動信号切り替え部２３ｃと、制御部２３ａとタイミング制御回路２３ｇとの間の信号の送受を行う光書き込み信号通信部２３ｆと、右眼用原画像を担持する旋光と左眼用原画像を担持する旋光とを電子記録媒体２５に照射するタイミングをとるタイミング制御回路部２３ｇと、所定の手順に則して所定の信号を発出する制御部２３ａとを備えており、制御部２３ａは、電圧印加部２１と円偏光光照射手段２２とを制御することにより、パターン生成部２２ａで生成された右眼用原画像と左眼用原画像とに基く、右眼用画像と左眼用画像とを電子記録媒体２５に書き込む。
【００７０】
この３次元画像記録装置を用い、電子記録媒体２５に３次元画像を書き込むには、先ず、媒体接続部２１ａに電子記録媒体２５を取りつけ、電子記録媒体２５の一対の電極を電圧印加部２１の駆動パルス生成部２１ｂに接続する。
【００７１】
ここで、電子記録媒体２５の端部に、媒体接続部２１ａに取り付けるコネクタ２５ａを取り付けることにより、電子記録媒体２５の一対の電極はコネクタ２２５ａの外部接続端子２５ｂに接続され、コネクタ２５ａを媒体接続部２１ａに差し込むと、電子記録媒体２５の一対の電極に接続された外部接続端子２５ｂが駆動パルス生成部２１ｂに接続されるように構成され、３次元画像が記録された電子記録媒体２５は、コネクタ２５ａを媒体接続部２１ａから取り外すことにより、自由に持ち運んだり、第３者に手交することができる。
【００７２】
図１０は、円偏光光照射部を示す図である。
【００７３】
図１０に示す円偏光光照射部２２ｂは、自然光を発光する光源２２ｂｘと、円偏光フィルタ２２ｂｙとを有する。円偏光フィルタ２２ｂｙには、自然光のうち左回りの旋光を吸収し、右回りの旋光を透過するものと、自然光のうち左回りの旋光を吸収し、右回りの旋光を透過するものとの２種類があり、円偏光光照射部２２ｂは、それらを切り替えることができる。
【００７４】
電子記録媒体２５に右眼用画像を書き込む場合には、パターン生成部２２ａに右眼用原画像を生成させ、例えば右回りの旋光を透過する円偏光フィタ２２ｂｙを介して光源２２ｂｘから光を照射し、電子記録媒体２５に左眼用画像を書き込む場合には、パターン生成部２２ａに左眼用原画像を生成し、例えば左回りの旋光を透過する円偏光フィルタ２２ｂｙを介して光源２２ｂｘから光を照射する。ここで、パターン生成部２２ａに生成される右眼用原画像と左眼用原画像とは、陰陽が同じになっているものであっても、陰陽が逆になっているものであってもよい。
【００７５】
図１１は、第２の実施形態に用いる電子記録媒体のスイッチング挙動を示す液晶層の分圧−反射率特性を示す図である。
【００７６】
図１１において、縦軸はコレステリック液晶分子の反射率を、横軸は液晶層の分圧をあらわし、図中の点線は、光が照射されていない部分の分圧−反射率特性を、図中の実線は、光が照射されている部分の分圧−反射率特性をあらわしている。
【００７７】
ここで説明する電子記録媒体は、コレステリック液晶分子の捩れ方向が互いに異なる液晶層をそれぞれ１層ずつ有し、それぞれの液晶層の分圧−反射率特性が同じで、静電容量が異なっている。しかし、第２の実施形態に用いる電子記録媒体は、液晶層の分圧−反射率特性がここで説明するものに限定する必要はなく、それぞれの液晶層の分圧−反射率特性が異なり、静電容量が異なっているものであっても、それぞれの液晶層の分圧−反射率特性が異なり、静電容量が同じものであってもよい。
【００７８】
右螺旋（コレステリック液晶分子の捩れ方向が右向きの状態をいう。以下同じ。）の液晶層３ａにＶｆｐｅとＶｆｐｕとの間の電圧Ｖｃが分圧されるように電子記録媒体の電極間に電圧Ｖ１（例えば２５０Ｖ）を印加して円偏光光照射手段から右眼用原画像を担持する、左回りの旋光を照射する。すると液晶層３ａにはその旋光が照射された部分に右眼用画像が記録され、その右眼用画像は右回りの旋光を選択反射する。なお、このとき液晶層３ｂは、Ｖｆｐｕ以上の電圧Ｖｂが分圧され、全体的に高反射率を呈する。
【００７９】
次に、左螺旋（コレステリック液晶分子の捩れ方向が左向きの状態をいう。以下同じ。）の液晶層３ｂにＶｐｆｅとＶｐｆｕの間の電圧Ｖａが分圧されるように電子記録媒体の電極間に電圧Ｖ２（例えば８０Ｖ）を印加して円偏光光照射手段から左眼用原画像（ここでは、右眼用原画像とは陰陽が反転された状態の画像。）を担持する、右回りの旋光を照射する。すると液晶層３ｂにはその旋光が照射された部分に左眼用画像が記録され、その左眼用画像は左回りの旋光を選択反射する。なお、このとき液晶層３ａには、Ｖｐｆｅ以下の電圧が分圧されるので、先に記録された右眼用画像はそのままの状態で維持される。
【００８０】
図１２は、第２の実施形態における３次元画像記録装置の制御手段により電子記録媒体に３次元画像を記録するフローチャートである。
【００８１】
第２の実施形態における３次元画像記録装置を用いて、電子記録媒体に３次元画像を書き込むには、先ず、媒体接続部に電子記録媒体を取りつけ、電子記録媒体の一対の電極を電圧印加部の駆動パルス生成部に接続し、電子記録媒体の液晶層をフォーカルコニック相にする（Ｓ−１）。
【００８２】
電子記録媒体は、２つの液晶層が積層されるとともに、それら液晶層に光が照射される側とは反対側に光導電層が積層されている。したがって、液晶層を光が透過する状態にして画像を記録する必要があるため、図１１に示した分圧−反射率特性を有する電子記録媒体では、例えば１５０Ｖを印加して、液晶層をフォーカルコニック相にする。
【００８３】
次にパターン生成部に画像信号を送り、右眼用原画像を表示させる（Ｓ−２）。そしてタイミング制御回路からタイミングパルスを送り（Ｓ−３）、光源を所定時間発光させ、偏光フィルタで左回りの旋光を照射する（Ｓ−４）。また、駆動信号切り替え部２３ｃからタイミング信号を送り（Ｓ−５）、駆動パルス生成部から一対の電極間に電圧Ｖ１を所定時間印加させ（Ｓ−６）、液晶層３ａに右眼用画像を書き込む（Ｓ−７）、（Ｓ−８）。このとき、液晶層３ｂは、左回りの旋光に対し高反射率を示すプレーナ相に遷移している。
【００８４】
次にパターン生成部に画像信号を送り、右眼用原画像とは陰陽が反転された左眼用原画像を表示させる（Ｓ−１２）。そしてタイミング制御回路からタイミングパルスを送り（Ｓ−１３）、光源を所定時間発光させ、偏光フィルタで右回りの旋光を照射する（Ｓ−１４）。
【００８５】
ここで、液晶層３ｂは、左回りの旋光に対し高反射率を示すプレーナ相に遷移しているが、右回りの旋光は透過する。
【００８６】
したがって、駆動信号切り替え部２３ｃからタイミング信号を送り（Ｓ−１５）、駆動パルス生成部から一対の電極間に電圧Ｖ２を所定時間印加させることにより（Ｓ−１６）、液晶層３ｂに左眼用画像を書き込むことができる（Ｓ−１７）、（Ｓ−１８）。また、電圧Ｖ２の印加によりパターン生成部に表示された画像とは陰陽が反転された画像が書き込まれるため、液晶層３ｂには右眼用画像と陰陽が同じ左眼用画像が書き込まれる。
【００８７】
この結果、電子記録媒体には右眼用画像と左眼用画像とが同時に表示されるので（Ｓ−２０）、円偏光眼鏡を用いてその画像を立体視することができる（Ｓ−２１）。
【００８８】
ここでは、図１１に示した、コレステリック液晶分子の捩れ方向が互いに異なる液晶層をそれぞれ１層ずつ有し、それぞれの液晶層の分圧−反射率特性が同じで、静電容量が異なっている電子記録媒体を用いて説明したが、それぞれの液晶層の分圧−反射率特性が異なり、静電容量が異なっているものや、それぞれの液晶層の分圧−反射率特性が異なり、静電容量が同じものを用いることにより、パターン生成部に、陰陽が同じ右眼用原画像と左眼用原画像とを表示させて、電子記録媒体に、陰陽が同じ右眼用画像と左眼用画像とを書き込むことができる。
【００８９】
更に、選択反射波長が異なる３枚の電子記録媒体それぞれに、Ｒ（レッド）、Ｇ（グリーン）、Ｂ（ブルー）に色分解された右眼用原画像と左眼用原画像とをそれぞれ書き込み、書き込んだ３枚の電子記録媒体を重ね合わせるとともに、円偏光眼鏡を掛けることにより、カラー画像の立体視が可能となる。
【００９０】
図１３および図１４は、第２の実施形態の３次元画像記録装置を用いて、右眼用画像と左眼用画像とを書き込んだ状態を模式的に示す電子記録媒体の概略断面図である。
【００９１】
図１３は、第１の実施形態の電子記録媒体の一例として、図１に示したものに書き込んだ状態を示し、図１４は、第１の実施形態の電子記録媒体の他の例として、図４に示したものに書き込んだ状態を示している。図１３と図１４とは液晶層の構造が相異するが画像が書き込まれた状態は同じであることから、図１３についてのみ説明し、図１４についての説明は省略する。
【００９２】
図１３（ａ）は、右眼用原画像を担持する左回りの旋光を照射する第１回目の露光により、液晶層３ａに右眼用画像が記録された状態、図１３（ｂ）は、左眼用原画像を担持する右回りの旋光を照射する第２回目の露光により、さらに液晶層３ｂに左眼用画像が記録された状態を示している。
【００９３】
ここに示した電子記録媒体は、第１の実施形態の電子記録媒体の一例として図１に示したものと同じものであり、同一の構成要素には同一の符号を付し、説明は省略する。
【００９４】
図１３（ａ）に示す電子記録媒体は、液晶層３ａ，３ｂをともにフォーカルコニック相にしてから右眼用原画像８を担持する光が照射され、液晶層３ａには電圧Ｖｃが分圧される電圧Ｖ１が印加されるので、液晶層３ａの光が照射された部分には右旋光を選択反射する右眼用画像（プレーナ相）８ａが記録され、液晶層３ｂには電圧Ｖｂが分圧されるので、液晶層３ｂ全体がプレーナ相になる。
【００９５】
図１３（ｂ）に示す電子記録媒体は、右眼用原画像とは陰陽が反転した左眼用原画像９を担持する右回りの旋光が照射され、液晶層３ｂには電圧Ｖａが分圧される電圧Ｖ２が印加されるので、液晶層３ｂの、旋光が照射された部分はフォーカルコニック相となるが、旋光が照射されない部分はプレーナ相のまま保持されて左旋光を選択反射する左眼用画像（プレーナ相）９ｂが記録される。
【００９６】
ここで、右眼用原画像８と陰陽が反転した左眼用原画像９は、同じ被写体を位置をずらして撮影したものである。また、ここでは陰陽が反転した左眼用原画像９を用いているが、用いる電子記録媒体の分圧−反射率特性、もしくは液晶層の静電容量によっては、陰陽を反転させた左眼用原画像９を照射させることなく、右眼用原画像８と同じ陰陽をあらわす左眼用原画像を照射させて、電子記録媒体に、位置のずれた類似画像である右眼用画像と左眼用画像双方を書き込むことができる。
【００９７】
【実施例】
［実施例１］
第１の実施例は、図１で示した断面構成を有する電子記録媒体である。
【００９８】
電極２ａ，２ｂとしては、導電性を有する材料であれば特に制限されないが、導電性及び透明性を有する材料が好ましい。具体的には、ＮＥＳＡ膜や酸化インジウム又は酸化インジウムと酸化錫との混合物からなるｌＴＯ（ｉｎｄｉｕｍｔｉｎｏｘｉｄｅ）などが一般的に用いられ、透明な基板に蒸着、スパッタリング等の方法で形成される。なお、形成された電極を必要に応じてエッチングすることによりドットマトリクス表示用のストライプ状電極パターンとしたり、セグメント表示用電極パターンとすることができる。また、ストライプ状電極パターンとセグメント表示用電極パターンとを混在させることもできる。
【００９９】
透明な基板１ａ，１ｂとしては、可視光線に対して透明な材料が用いられる。
【０１００】
典型的にはソーダガラスや、コーニング７０５９（コーニング社製）などが用いられるが、これらに限定されない。
【０１０１】
電子記録媒体を携行可能なものとして構成する場合には、ポリスチレン、ポリエーテルスルホンなどの非結晶性ポリマーや、ポリエチレン、ポリプロピレンなどのポリオレフィンや、ポリカーボネート、ナイロンなどのポリアミドを用いてプラスチックフィルム基板を形成し、その厚さを、０．３ｍｍ以下、好ましくは２０〜２００μｍの範囲にするとよい。さらに、必要に応じて基板の表面に耐磨耗層、ガスバリア層などの機能膜を形成してもよい。
【０１０２】
液晶層３ａ，３ｂを構成するコレステリック液晶としては、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系などの正の誘電率異方性を有するネマチック液晶、またはこれらの混合物に、エステル誘導体、シアノビフェニル誘導体、ビスアニール誘導体などの、光学活性なカイラル剤を添加した材料を用いることができる。
【０１０３】
また液晶層３ａ，３ｂのコレステリック液晶分子の螺旋構造の捩れ方向は、添加されるカイラル剤によって決まり、例えばＲ１１又はＲ１０１１（メルク社製）を添加すれば、右螺旋構造のコレステリック液晶を得ることができ、Ｓ１１又はＳ１０１１（メルク社製）を添加すれば、左螺旋構造のコレステリック液晶を得ることができる。
【０１０４】
図１５は、本実施例の透明基板と電極の光透過率を示す図である。
【０１０５】
画像を記録する電子記録媒体の光導電層４には、透明基板（ＰＥＳ）１ｂと電極（ＩＴＯ）２ｂの光透過率、および液晶層の光透過率をそれぞれ掛け合わせて求めた光透過率に基く光量が到達することになるため、光導電層４は感度の高いものを用いるのがよい。
【０１０６】
光導電層４の感度は、図１６に示すように、用いる材料を例えば、Ｈフタロシアニン、クロロガリウム、ヒドロキシガリウムのように変化させたり、膜厚を調整することにより任意に設定することができる。
【０１０７】
このような材料を用いて形成した電子記録媒体の電極に、任意波形発生装置の出力が増幅される高圧電圧増幅器の出力端子を接続した。
【０１０８】
この構成において電子記録媒体の光導電体層４を露光しないで、５０Ｈｚ，時間３００ｍｓの矩形波を与えた後、電圧をオフしたところ、矩形波の振幅が８０Ｖから１４０Ｖの間においては、電子記録媒体は選択反射を示さず透明で黒っぽく見え、矩形波の振幅が１６０Ｖ以上においては、白っぽい色を示した。
【０１０９】
一方、電子記録媒体の光導電体層４を露光しながら、５０Ｈｚ，時間３００ｍｓの矩形波を与えた後、電圧をオフしたところ、矩形波の振幅が７５Ｖから１２０Ｖの間においては、電子記録媒体は選択反射を示さず透明に見え、矩形波の振幅が１３０Ｖ以上においては白っぽい色を示した。
［第２の実施例］
第２の実施例は、図４で示した断面構成を有する電子記録媒体である。
【０１１０】
本実施例の液晶層３は、高分子の支持多孔構造中にコレステリック液晶をドロッフレット分散させたもので、ＰＤＬＣ構造を形成することにより液晶のまわりに形成されるカプセルによってスペーサを省略することができる。
【０１１１】
これらを用いて電子記録媒体を作製する場合は、透明な基板にコレステリック液晶をポリマーで封入したカプセルを分散させた溶液を塗布する。カプセルを分散させた液晶は、２枚の透明な基板間に電界が印加されない場合は、カプセル内の液晶で光が反射して乳白色に視認でき、電界が印加された場合は、液晶およびカプセル内の液晶が透明になる。
【０１１２】
本例では上面透明基板１ａと上面透明電極２ａとしてｌＴＯ付きフィルム（ＰＥＴ）基板（厚み１２５μｍ）１ａのパターニングしたｌＴＯ電極２ａ上に機能性薄膜印刷装置又はアプリケータで均一に塗布した。
【０１１３】
コレステリック液晶溶液の塗布膜厚は溶媒が蒸発した時のコレステリック液晶膜厚が、用いたカプセルの直径と同程度あるいはそれ以上になるようにする。
【０１１４】
液晶を溶解する溶媒としては、芳香族系、脂肪族系、アルコール系等の一般的なものを用いることができる。
【０１１５】
コレステリック液晶の塗布領域は一対の透明基板を重ね合わせる領域より小さく塗布する。
【０１１６】
また、本発明ではコレステリック液晶の塗布を機能性薄膜印刷装置やアプリケータで行ったが、この方法に限ったものではなく、例えばスクリーン印刷のように印刷版を使用したものやディスペンサやスプレーコータのように塗布領域を移動させるものでも構わない。
【０１１７】
コレステリック液晶を塗布後は透明基板を加熱又は常温放置して、溶媒を蒸発させる。加熱の方法としては、例えばホットプレートを用いてコレステリック液晶を塗布した透明基板をその上に載置する方法、温風の吹き付けによる方法、赤外線やマイクロ波の照射による方法、コレステリック液晶塗布基板１ａのコレステリック液晶塗布面の裏側から加熱ステンレスロール等の加熱金属ロールを押し当てて加熱する方法等が挙げられる。
【０１１８】
本発明ではコレステリック液晶を塗布した上面透明基板１ａを常温で一日放置することにより、溶媒を蒸発させ、液晶層１３を形成した。
【０１１９】
次いで、基板ラミネータによって上面透明基板１ａのコレステリック液晶塗布面にもう一方の下面透明電極２ｂ付き下面透明基板１ｂ（ＰＥＴ、厚さ１２５μｍ）を電極面がコレステリック液晶に接するように積層する。
【０１２０】
積層の方法としてはコレステリック液晶３を塗布した透明な基板１ａを、光導電体層４を塗布した透明な基板１ｂと合わせ、ヒータを内蔵した２本のロール間を通過させて行う。また別の積層の方法としては、コレステリック液晶を塗布した透明な基板１ａを、ヒータを内蔵した平坦ステージに、電極２ａ面を上にして固定する。他方の透明な基板１ｂは、その電極２ｂが、平坦ステージに固定された透明な基板１ａの電極２ａと、互いに向き合うように重ねあわせて、ヒータを内蔵した貼り付けヘッドで電極２ｂを吸着固定する。
【０１２１】
基板ラミネータは、貼り付けヘッドに吸着固定された透明な基板１ｂの電極面２ｂがコレステリック液晶を塗布した面と互いに向かい合うように位置あわせし、端部より、同じく内部にヒータを内蔵した貼り付けロールを移動させることにより順次積層していく。
【０１２２】
本実施例では透明基板にコレステリック液品を塗布する方法を示したが、透明基板の電極ともう一方の透明な基板の電極上にあるコレステリック液晶との間に光導電体層や遮光層を形成する場合も、本塗布方法と同様に行えることを実験で確認している。
【０１２３】
【発明の効果】
本発明の電子記録媒体によれば、光の照射と電圧の印加によって画像が記録される液晶層が少なくとも２層積層され、各液晶層に別個の、かつ選択反射する旋光の向きが異なる画像を記録することができる。また、本発明の３次元画像記録装置を用いれば、本発明の１枚の電子記録媒体に、偏光眼鏡をかけて見れば違和感が生じない立体画像を記録することができる。さらに、本発明の３次元画像表示方法によれば、１枚の電子記録媒体に右眼用画像と左眼用画像とを書き込んで、それを立体視させることができる。したがって、携行が可能であり、記録された画像を無電源で維持することが可能な電子記録媒体を、臨場感のある、迫力ある立体画像の表示媒体としても利活用することができる。
【図面の簡単な説明】
【図１】第１の実施形態の電子記録媒体の一例とその電子記録媒体に記録された画像を立体視する３次元画像表示方法を示す図である。
【図２】ＣＦＲ６３３ＤＨＰ／ＰＣ−ＢＫ−００６Ｐの吸光度を示すグラフである。
【図３】光導電層を構成する感光体であるＨフタロシアニン、クロロカリウムフタロシアニン、ヒドロキシカリウムフタロシアニンの光吸収率特性を示すグラフである。
【図４】第１の実施形態の電子記録媒体の他の例を示す図である。
【図５】第１の実施形態の電子記録媒体の等価回路を示す図である。
【図６】第１の実施形態の一例として示す電子記録媒体の液晶層のスイッチング挙動を示す。
【図７】電子記録媒体に電圧が印加されたときの液晶層の分圧、並びに光が照射された液晶部分および光が照射されない液晶部分それぞれの反射率を示す図である。
【図８】電子記録媒体に電圧が印加されたときの液晶層の分圧、並びに光が照射された液晶部分および光が照射されない液晶部分それぞれの反射率を示す図である。
【図９】第２の実施形態の画像記録装置の構成を示す概略図である。
【図１０】円偏光光照射部を示す図である。
【図１１】第２の実施形態に用いる電子記録媒体のスイッチング挙動を示す液晶層の分圧−反射率特性を示す図である。
【図１２】第２の実施形態における３次元画像記録装置の制御手段により電子記録媒体に３次元画像を記録するフローチャートである。
【図１３】第２の実施形態の３次元画像記録装置を用いて、右眼用画像と左眼用画像とを書き込んだ状態を模式的に示す電子記録媒体の概略断面図である。
【図１４】第２の実施形態の３次元画像記録装置を用いて、右眼用画像と左眼用画像とを書き込んだ状態を模式的に示す電子記録媒体の概略断面図である。
【図１５】本実施例の透明基板と電極の光透過率を示す図である。
【図１６】光導電層の感度を示す図である。
【符号の説明】
１ａ，１ｂ  透明な基板
２ａ，２ｂ  電極
３，３ａ，３ｂ  液晶層
４  光導電層
５  遮光層
６  自己保持型液晶−樹脂複合体
８  右眼用原画像
８ａ  右眼用画像
９  陰陽が反転した左眼用原画像
９ｂ  左眼用画像
２１  電圧印加部
２１ａ  媒体接続部
２１ｂ  駆動パルス生成部
２２  円偏光光照射手段
２２ａ  パターン生成部
２２ｂ  円偏光光照射部
２２ｂｘ  光源
２２ｂｙ  偏光フィルタ
２２ｃ  画像信号
２３  制御手段
２３ａ  制御部
２３ｂ  駆動信号通信部
２３ｃ  駆動信号切り替え部
２３ｆ  光書き込み信号通信部
２３ｇ  タイミング制御回路部
２５  電子記録媒体
２５ａ  コネクタ
２５ｂ  外部接続端子
【図１】
0004003464.tif 000002
【図２】
0004003464.tif 000003
【図３】
0004003464.tif 000004
【図４】
0004003464.tif 000005
【図５】
0004003464.tif 000006
【図６】
0004003464.tif 000007
【図７】
0004003464.tif 000008
【図８】
0004003464.tif 000009
【図９】
0004003464.tif 000010
【図１０】
0004003464.tif 000011
【図１１】
0004003464.tif 000012
【図１２】
0004003464.tif 000013
【図１３】
0004003464.tif 000014
【図１４】
0004003464.tif 000015
【図１５】
0004003464.tif 000016
【図１６】
0004003464.tif 000017